【手続補正書】
【提出日】平成16年12月14日(2004.12.14)
【手続補正１】
【補正対象書類名】明細書
【補正対象項目名】発明の名称
【補正方法】変更
【補正の内容】
【発明の名称】画像処理装置、画像処理方法、プログラム及び記憶媒体
【手続補正２】
【補正対象書類名】明細書
【補正対象項目名】特許請求の範囲
【補正方法】変更
【補正の内容】
【特許請求の範囲】
【請求項１】
被写体に放射線を照射することにより得られた画像データの諧調処理を行う画像処理装置において、
す抜け領域及びす抜け領域と一定幅で接する領域に基づき被写体領域を抽出する手段と、
横軸が画素値で縦軸が該画素値の出現頻度を示す濃度ヒストグラムを前記被写体領域の画像データから作成する手段と、
該ヒストグラムの形状から第一の画素値を抽出する手段と、
前記ヒストグラム及び前記第一の画素値に基づき特徴量を算出する手段と、
特徴量に基づいて前記画像データの階調を制御する制御手段とを有することを特徴とする画像処理装置。
【請求項２】
前記横軸上において互いに等間隔に位置する３点での出現頻度を比較することにより前記ヒストグラムの凸部領域を抽出し、該凸部領域における最大の出現頻度を示す画素値を前記第一の画素値とすることを特徴とする請求項１に記載の画像処理装置。
【請求項３】
前記被写体領域内の画像データにおける前記第一の画素値以下の画素平均値を前記特徴量とすることを特徴とする請求項１又は２に記載の画像処理装置。
【請求項４】
前記ヒストグラムにおいて前記第一の画素値以下の値を示す画素値の出現頻度と該画素値の値を積和し、該第一の画素値以下の値を示す画素値の出現頻度で該積和を除算して前記特徴量を算出することを特徴とする請求項３に記載の画像処理装置。
【請求項５】
前記制御手段は、前記画像データを平滑化することにより平滑化画像を得る平滑化手段を備え、該平滑化手段により得られた平滑化画像と前記特徴量に基づいて前記画像データの階調を制御することを特徴とする請求項１に記載の画像処理装置。
【請求項６】
前記平滑化手段は、モルフォロジカルフィルターを備え、該モルフォロジカルフィルターによって前記放射線画像を平滑化することを特徴とする請求項５に記載の画像処理装置。
【請求項７】
被写体に放射線を照射することにより得られた画像データの諧調処理を行う画像処理方法において、
す抜け領域及びす抜け領域と一定幅で接する領域に基づき被写体領域を抽出する工程と、
横軸が画素値で縦軸が該画素値の出現頻度を示す濃度ヒストグラムを前記被写体領域の画像データから作成する工程と、
該ヒストグラムの形状から第一の画素値を抽出する工程と、
前記ヒストグラム及び前記第一の画素値に基づき特徴量を算出する工程と、
特徴量に基づいて前記画像データの階調を制御する制御工程とを有することを特徴とする画像処理方法。
【請求項８】
被写体に放射線を照射することにより得られた画像データの諧調処理を行うためにコンピュータを、
す抜け領域及びす抜け領域と一定幅で接する領域に基づき被写体領域を抽出する手段と、
横軸が画素値で縦軸が該画素値の出現頻度を示す濃度ヒストグラムを前記被写体領域の画像データから作成する手段と、
該ヒストグラムの形状から第一の画素値を抽出する手段と、
前記ヒストグラム及び前記第一の画素値に基づき特徴量を算出する手段と、
特徴量に基づいて前記画像データの階調を制御する制御手段として機能させるためのプログラム。
【請求項９】
被写体に放射線を照射することにより得られた画像データの諧調処理を行うためにコンピュータを、
す抜け領域及びす抜け領域と一定幅で接する領域に基づき被写体領域を抽出する手段と、
横軸が画素値で縦軸が該画素値の出現頻度を示す濃度ヒストグラムを前記被写体領域の画像データから作成する手段と、
該ヒストグラムの形状から第一の画素値を抽出する手段と、
前記ヒストグラム及び前記第一の画素値に基づき特徴量を算出する手段と、
特徴量に基づいて前記画像データの階調を制御する制御手段として機能させるためのプログラムを記録したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、入力画像のダイナミックレンジの拡大、圧縮を行う画像処理装置、画像処理方法、プログラム及び記憶媒体に関し、特に、Ｘ線撮影された画像の微細構造を保存したまま特定領域のダイナミックレンジを拡大、縮小する場合に用いて好適なものである。
【手続補正４】
【補正対象書類名】明細書
【補正対象項目名】００１１
【補正方法】変更
【補正の内容】
【００１１】
本発明は、上述の問題に鑑みて為されたもので、放射線画像中の微細構造を示す画像の階調を保存しつつ、該放射線画像中の任意の画像領域の階調を圧縮或は拡大し、放射線画像における所望の観察領域の画像の階調を適正な状態に保ちながら該放射線画像の階調を所望の階調にすることができる画像処理装置、画像処理方法、プログラム及び記録媒体を提供することを目的とする。
【手続補正５】
【補正対象書類名】明細書
【補正対象項目名】００１２
【補正方法】変更
【補正の内容】
【００１２】
【課題を解決するための手段】
本発明の画像処理装置は、被写体に放射線を照射することにより得られた画像データの諧調処理を行う画像処理装置において、す抜け領域及びす抜け領域と一定幅で接する領域に基づき被写体領域を抽出する手段と、横軸が画素値で縦軸が該画素値の出現頻度を示す濃度ヒストグラムを前記被写体領域の画像データから作成する手段と、該ヒストグラムの形状から第一の画素値を抽出する手段と、前記ヒストグラム及び前記第一の画素値に基づき特徴量を算出する手段と、特徴量に基づいて前記画像データの階調を制御する制御手段とを有することを特徴とする。
本発明の画像処理方法は、被写体に放射線を照射することにより得られた画像データの諧調処理を行う画像処理方法において、す抜け領域及びす抜け領域と一定幅で接する領域に基づき被写体領域を抽出する工程と、横軸が画素値で縦軸が該画素値の出現頻度を示す濃度ヒストグラムを前記被写体領域の画像データから作成する工程と、該ヒストグラムの形状から第一の画素値を抽出する工程と、前記ヒストグラム及び前記第一の画素値に基づき特徴量を算出する工程と、特徴量に基づいて前記画像データの階調を制御する制御工程とを有することを特徴とする。
本発明のプログラムは、被写体に放射線を照射することにより得られた画像データの諧調処理を行うためにコンピュータを、す抜け領域及びす抜け領域と一定幅で接する領域に基づき被写体領域を抽出する手段と、横軸が画素値で縦軸が該画素値の出現頻度を示す濃度ヒストグラムを前記被写体領域の画像データから作成する手段と、該ヒストグラムの形状から第一の画素値を抽出する手段と、前記ヒストグラム及び前記第一の画素値に基づき特徴量を算出する手段と、特徴量に基づいて前記画像データの階調を制御する制御手段として機能させることを特徴とする。
本発明のコンピュータ読み取り可能な記憶媒体は、被写体に放射線を照射することにより得られた画像データの諧調処理を行うためにコンピュータを、す抜け領域及びす抜け領域と一定幅で接する領域に基づき被写体領域を抽出する手段と、横軸が画素値で縦軸が該画素値の出現頻度を示す濃度ヒストグラムを前記被写体領域の画像データから作成する手段と、該ヒストグラムの形状から第一の画素値を抽出する手段と、前記ヒストグラム及び前記第一の画素値に基づき特徴量を算出する手段と、特徴量に基づいて前記画像データの階調を制御する制御手段として機能させるためのプログラムを記録したことを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】